【手続補正書】
【提出日】平成16年10月15日(2004.10.15)
【手続補正１】
【補正対象書類名】明細書
【補正対象項目名】全文
【補正方法】変更
【補正の内容】
【書類名】      明細書
【発明の名称】  記録装置
【特許請求の範囲】
【請求項１】  上方または斜め上方に開口する供給口及び排出口が形成され且つ上下方向に延びる装置ケーシングと、
上下方向または斜め上下方向に延びるとともに前記供給口に連続し、前記供給口から供給される記録媒体を収容する供給側収容部と、
前記供給側収容部内の記録媒体を前記供給側収容部から送り出し且つ搬送する供給側搬送機構と、
前記供給側搬送機構によって搬送された記録媒体を保持するプラテンと前記記録媒体に記録を行うインクジェットヘッドとからなる記録部と、
前記記録部にて記録が行われた記録媒体を搬送する排出側搬送機構と、
上下方向または斜め上下方向に延びるとともに前記排出口に連続し、前記排出側搬送機構によって搬送された記録媒体を収容する排出側収容部とを備え、
前記記録部が、前記装置ケーシングの長手方向において前記供給口及び排出口が形成された側とは反対側に配置されており、
前記排出側搬送機構によって前記記録部から搬送された記録媒体の後端部を前記排出側収容部に押し込む押し込み手段を更に備えている記録装置。
【請求項２】  請求項１に記載の記録装置であって、
供給側収容部から記録部を経て排出側収容部に至る搬送経路が略Ｕ字状に形成されている記録装置。
【請求項３】  請求項１または２に記載の記録装置であって、
装置ケーシングの底面と供給側収容部の長手方向とのなす角の角度は、９０度以上且つ１２０度以下であり、
前記装置ケーシングの底面と排出側収容部の長手方向とのなす角の角度は、９０度以上且つ１２０度以下である記録装置。
【請求項４】  請求項１または２に記載の記録装置であって、
供給側収容部と排出側収容部とは、互いに平行に形成されている記録装置。
【請求項５】  請求項１〜４のいずれか一つに記載の記録装置であって、
装置ケーシングは、上下方向に細長い略直方体形状に形成され、
供給側収容部と排出側収容部とは、上下方向または斜め上下方向に延びる第１側壁と、当該第１側壁と所定間隔を存して対向し且つ上下方向または斜め上下方向に延びる第２側壁と、前記第１側壁及び前記第２側壁の一方から他方に向かって延びる底壁とをそれぞれ有している記録装置。
【請求項６】  請求項５に記載の記録装置であって、
排出側収容部の底壁は、記録部におけるインクジェットのヘッド面よりも下側の位置に設けられている記録装置。
【請求項７】  請求項５に記載の記録装置であって、
排出側収容部の底壁は、記録部側に向かって下向きに傾斜している記録装置。
【請求項８】  請求項５に記載の記録装置であって、
排出側収容部の底壁は、記録部側に向かって上向きに傾斜している記録装置。
【請求項９】  請求項７または８に記載の記録装置であって、
排出側収容部の底壁は、記録媒体を排出口側に押し出すように移動する移動板によって形成されている記録装置。
【請求項１０】  請求項５に記載の記録装置であって、
供給側収容部の第１側壁または第２側壁の一方の側壁に設けられ、記録媒体を他方の側壁に付勢する付勢手段を備えている記録装置。
【請求項１１】  請求項５に記載の記録装置であって、
排出側収容部の第１側壁または第２側壁の一方の側壁に設けられ、記録媒体を他方の側壁に付勢する付勢手段を備えている記録装置。
【請求項１２】  請求項１〜１１のいずれか一つに記載の記録装置であって、
記録部は、装置ケーシングの長手方向と直交する方向に関して供給側収容部と排出側収容部との間に設けられている記録装置。
【請求項１３】  請求項１２に記載の記録装置であって、
供給側搬送機構は、供給側収容部内の記録媒体を前記供給側収容部の記録部側から送り出すように構成され、
排出用搬送機構は、記録が行われた記録媒体を排出側収容部の記録部側から導入するように構成されている記録装置。
【請求項１４】  請求項１２に記載の記録装置であって、
供給口及び排出口が横方向または斜め横方向に開口するように横置き自在に構成され、
供給側搬送機構は、供給側収容部内の記録媒体を前記供給側収容部の記録部側から送り出すように構成され、
排出用搬送機構は、記録が行われた記録媒体を排出側収容部における記録部側と反対の側から導入するように構成されている記録装置。
【請求項１５】  請求項１〜１１のいずれか一つに記載の記録装置であって、
排出側収容部は、装置ケーシングの長手方向と直交する方向に関して供給側収容部と記録部との間に設けられている記録装置。
【請求項１６】  請求項１〜１５のいずれか一つに記載の記録装置であって、
供給側搬送機構は、供給側収容部内の記録媒体を取り出すピックアップローラと、当該ピックアップローラによって取り出された記録媒体を記録部側に送り出す駆動ローラと、当該駆動ローラとの間に記録媒体を挟み込むピンチローラとを有し、
前記ピックアップローラと前記駆動ローラと前記ピンチローラとの鉛直方向に投影した像がそれぞれ重なり合っている記録装置。
【請求項１７】  請求項１〜１６のいずれか一つに記載の記録装置であって、
供給口を開閉する蓋を備えている記録装置。
【請求項１８】  請求項１〜１７のいずれか一つに記載の記録装置であって、
排出口を開閉する蓋を備えている記録装置。
【請求項１９】  請求項１〜８及び１０〜１８のうちのいずれか一つに記載の記録装置であって、
排出側収容部内の記録媒体の一部または全部を排出口から排出する排出機構を備えている記録装置。
【請求項２０】  請求項１９に記載の記録装置であって、
排出機構は、記録媒体の後端部を支持する支持面を有し且つ前記記録媒体を排出口側に押し出すように移動する移動体によって形成されている記録装置。
【請求項２１】  請求項１〜２０のいずれか一つに記載の記録装置であって、
装置ケーシングは上面が平坦な上板を有し、供給口及び排出口は前記上板に形成されている記録装置。
【請求項２２】  請求項１〜１３及び１５〜２１のうちのいずれか一つに記載の記録装置であって、
供給口及び排出口が横方向または斜め横方向に開口するように横置き自在に構成されている記録装置。
【請求項２３】  請求項１４または２２に記載の記録装置であって、
排出側収容部が供給側収容部よりも上側に位置するように横置きされる記録装置。
【請求項２４】  請求項１４に記載の記録装置であって、
供給側収容部と排出側収容部とが左右方向に並ぶように横置きされる記録装置。
【発明の詳細な説明】
【０００１】
【発明の属する技術分野】
本発明は、記録装置に関する。
【０００２】
【従来の技術】
図２１（ａ）に示すように、一般に普及しているプリンタ２００では、プリンタ本体２０１の上側に給紙トレイ２０２が設けられ、プリンタ本体２０１の前側に排紙トレイ２０３が設けられている。しかし、このような構成では、図２１（ｂ）に示すように、プリンタ２００を設置するために必要とされる設置スペース２０４は、プリンタ本体２０１に比較して相当大きなものとなる。そこで、設置スペースの低減を図るために、特開平１１−３３４９６３号公報には、図２２に示すように、薄型且つ縦長形状のプリンタ本体２１１を備え、給紙トレイ２１２と排紙トレイ２１３とがプリンタ本体２１１から斜め上方向に延びたいわゆる縦置き型のプリンタが提案されている。
【０００３】
【発明が解決しようとする課題】
ところで、上記公報に開示されたプリンタでは、給紙トレイ２１２と排紙トレイ２１３とは、ともにプリンタ本体２１１の一方の側に配置されていた。また、給紙トレイ２１２及び排紙トレイ２１３は、プリンタ本体２１１から斜め上方向に突出していた。そのため、プリンタの重心がトレイ２１２，２１３を設けた側に偏ってしまうという問題があった。特に、近年はプリンタの軽量化が進んでおり、給紙トレイ２１２及び排紙トレイ２１３に収容した記録紙の枚数が少ない場合であっても、重心の偏りが発生しやすくなっている。したがって、プリンタの転倒を招きやすかった。また、たとえ転倒しなくても、記録時の振動が大きいことから、記録動作が不安定になりやすく、印字品質の低下を招きやすかった。また、例えばユーザの体が接触したり設置机が揺れるなどして発生した外力によってすら、簡単に転倒してしまうといった不都合も考えられる。
【０００４】
本発明は、かかる点に鑑みてなされたものであり、その目的とするところは、記録装置の省スペース化を図りつつ、装置の転倒防止、記録動作の安定性向上及び記録品質の向上を図ることにある。
【０００５】
【課題を解決するための手段】
本発明に係る記録装置は、上方または斜め上方に開口する供給口及び排出口が形成され且つ上下方向に延びる装置ケーシングと、上下方向または斜め上下方向に延びるとともに前記供給口に連続し、前記供給口から供給される記録媒体を収容する供給側収容部と、前記供給側収容部内の記録媒体を前記供給側収容部から送り出し且つ搬送する供給側搬送機構と、前記供給側搬送機構によって搬送された記録媒体を保持するプラテンと前記記録媒体に記録を行うインクジェットヘッドとからなる記録部と、前記記録部にて記録が行われた記録媒体を搬送する排出側搬送機構と、上下方向または斜め上下方向に延びるとともに前記排出口に連続し、前記排出側搬送機構によって搬送された記録媒体を収容する排出側収容部とを備え、前記記録部が、前記装置ケーシングの長手方向において前記供給口及び排出口が形成された側とは反対側に配置されており、前記排出側搬送機構によって前記記録部から搬送された記録媒体の後端部を前記排出側収容部に押し込む押し込み手段を更に備えているものである。
【０００６】
上記記録装置によれば、複数の記録媒体を連続印刷する際に、先の記録媒体が後の記録媒体の搬送経路を邪魔することがなく、ジャムの発生は未然に防止される。
【０００７】
また、供給側収容部から記録部を経て排出側収容部に至る搬送経路が略Ｕ字状に形成されていると、装置の重心は一方の側に偏りにくい。そのため、装置の転倒は起こりにくい。また、記録動作時の振動が少ないので、記録の品質は向上する。
【０００８】
供給側収容部及び排出側収容部は装置ケーシングの内部に設けられるので、従来の給紙トレイや排紙トレイのように装置ケーシングから突出する部分を設ける必要はなくなる。そのため、装置が小型化され、設置スペースが小さくなる。
【０００９】
装置ケーシングの底面と供給側収容部の長手方向とのなす角の角度は、９０度以上且つ１２０度以下であり、前記装置ケーシングの底面と排出側収容部の長手方向とのなす角の角度は、９０度以上且つ１２０度以下であることが好ましい。
【００１０】
このことにより、供給側収容部と排出側収容部とは、装置ケーシングに対して傾斜していない（上記両角度が９０度の場合）か、あるいは異なった方向に傾斜することになる。つまり、供給側収容部及び排出側収容部の両方が共に装置ケーシングの一方の側に傾くことはない。そのため、一度に大量の記録媒体に記録を行う場合であっても、当初は供給側収容部に収容されていた記録媒体が徐々に排出側収容部に移動するので、装置全体の重心は供給側収容部から排出側収容部に移動していく。したがって、装置の重心位置は、記録動作の全体を通じてみると、平均的に装置の中心部に位置することになる。装置ケーシングの底面と供給側収容部の長手方向とのなす角の角度を９０゜〜１２０゜とし、装置ケーシングの底面と排出側収容部の長手方向とのなす角の角度を９０゜〜１２０゜とすることにより、装置の安定性が向上し、装置の転倒はより一層起こりにくくなる。また、装置の不安定性に起因する振動が発生しにくいので、記録の品質が向上する。
【００１１】
なお、装置ケーシングの底面と供給側収容部の長手方向とのなす角の角度と、装置ケーシングの底面と排出側収容部の長手方向とのなす角の角度とを等しくすれば、左右のバランスが釣り合うので安定性が向上し、より好適である。
【００１２】
供給側収容部と排出側収容部とは、互いに平行に形成されていてもよい。
【００１３】
装置ケーシングは、上下方向に細長い略直方体形状に形成され、供給側収容部と排出側収容部とは、上下方向または斜め上下方向に延びる第１側壁と、当該第１側壁と所定間隔を存して対向し且つ上下方向または斜め上下方向に延びる第２側壁と、前記第１側壁及び前記第２側壁の一方から他方に向かって延びる底壁とをそれぞれ有していることが好ましい。
【００１４】
このように装置ケーシングが細長い略直方体形状に形成されていることにより、装置の薄型化が図られ、設置スペースは更に小さくなる。
【００１５】
また、第１側壁、第２側壁及び底壁によって記録媒体が囲まれることにより、記録媒体の汚れ、特に記録直後に紙に触れることによって発生する汚れや供給側の紙に降り積もる塵埃等に起因する印字不良等の不都合を、効率よく防止することができる。
【００１６】
排出側収容部の底壁は、記録部におけるインクジェットヘッドのヘッド面よりも下側の位置に設けられていることが好ましい。
【００１７】
このことにより、排出側搬送機構は、記録媒体を横方向に搬送するだけで排出側収容部に収容することができる。そのため、記録媒体を上方に搬送するための搬送ローラ等が不要になり、部品点数の削減が図られる。また、搬送経路及び搬送時間の短縮化が図られる。
【００１８】
排出側収容部の底壁は、記録部側に向かって下向きに傾斜していてもよい。
【００１９】
このことにより、排出側収容部の底壁自体が記録媒体の搬送経路を変更させるので、搬送経路を変更させるための専用のガイド板等が不要となる。そのため、部品点数の削減、搬送経路の短縮化及び搬送時間の短縮化が図られる。
【００２０】
排出側収容部の底壁は、記録部側に向かって上向きに傾斜していてもよい。
【００２１】
このことにより、排出側収容部内の記録媒体は、重力の作用を受けることによって、排出側収容部における記録部側と反対の側に集まり、また、下端部のたわみが防止されるので起立した状態に収容される。そのため、記録媒体は整理された状態で収容されることになり、記録媒体の収容状態が向上する。
【００２２】
排出側収容部の底壁は、記録媒体を排出口側に押し出すように移動する移動板によって形成されていてもよい。
【００２３】
このことにより、装置の構成が簡素化され、小型化が促進されるとともにコストダウンが図られる。
【００２４】
前記記録装置は、供給側収容部の第１側壁または第２側壁の一方の側壁に設けられ、記録媒体を他方の側壁に付勢する付勢手段を備えていてもよい。
【００２５】
前記記録装置は、排出側収容部の第１側壁または第２側壁の一方の側壁に設けられ、記録媒体を他方の側壁に付勢する付勢手段を備えていてもよい。
【００２６】
このことにより、付勢手段によって記録媒体を他方の側壁に付勢することにより、記録媒体のたわみが防止され、収容状態が向上する。
【００２７】
記録部は、装置ケーシングの長手方向と直交する方向に関して供給側収容部と排出側収容部との間に設けられていてもよい。
【００２８】
このことにより、供給側収容部と排出側収容部とは記録部を挟んで互いに反対側に位置することになる。そのため、一度に大量の記録媒体に記録を行う場合であっても、当初は供給側収容部に収容されていた記録媒体が徐々に排出側収容部に移動するので、装置全体の重心は供給側収容部から排出側収容部に移動していく。したがって、装置の重心位置は、記録動作の全体を通じてみると、平均的に装置の中心部に位置することになる。そのため、装置の安定性が向上し、装置の転倒は起こりにくい。また、装置の不安定性に起因する振動が発生しにくいので、記録の品質が向上する。
【００２９】
供給側搬送機構は、供給側収容部内の記録媒体を前記供給側収容部の記録部側から送り出すように構成され、排出用搬送機構は、記録が行われた記録媒体を排出側収容部の記録部側から導入するように構成されていてもよい。
【００３０】
このことにより、記録媒体が最短距離で排出側収容部に収容でき、動作完了時間を短縮することができる。
【００３１】
供給口及び排出口が横方向または斜め横方向に開口するように横置き自在に構成され、供給側搬送機構は、供給側収容部内の記録媒体を前記供給側収容部の記録部側から送り出すように構成され、排出用搬送機構は、記録が行われた記録媒体を排出側収容部における記録部側と反対の側から導入するように構成されていてもよい。
【００３２】
このことにより、横置き設置の場合に、排出側収容部の導入部分は上側に位置することになり、排出側収容部への記録媒体の収容を重力を利用して行うことができるので、記録媒体の収容が容易になり、収容状態が安定する。
【００３３】
排出側収容部は、装置ケーシングの長手方向と直交する方向に関して供給側収容部と記録部との間に設けられていてもよい。
【００３４】
供給側搬送機構は、供給側収容部内の記録媒体を取り出すピックアップローラと、当該ピックアップローラによって取り出された記録媒体を記録部側に送り出す駆動ローラと、当該駆動ローラとの間に記録媒体を挟み込むピンチローラとを有し、前記ピックアップローラと前記駆動ローラと前記ピンチローラとの鉛直方向に投影した像がそれぞれ重なり合っていることが好ましい。
【００３５】
このようにピックアップローラと駆動ローラとピンチローラとが、それらの鉛直方向の投影像が重なり合うように配置されることにより、装置の左右方向の長さは短くなり、装置の小型化が促進される。
【００３６】
前記記録装置は、供給口を開閉する蓋を備えていることが好ましい。
【００３７】
このことにより、供給側収容部に塵や埃が入り込むことが防止される。
【００３８】
前記記録装置は、排出口を開閉する蓋を備えていることが好ましい。
【００３９】
このことにより、排出側収容部に塵や埃が入り込むことが防止される。
【００４０】
前記記録装置は、排出側収容部内の記録媒体の一部または全部を排出口から排出する排出機構を備えていることが好ましい。
【００４１】
このことにより、排出機構が記録媒体を排出口から排出することにより、ユーザが記録済みの記録媒体を取り出すことが容易になる。
【００４２】
排出機構は、記録媒体の後端部を支持する支持面を有し且つ前記記録媒体を排出口側に押し出すように移動する移動体によって形成されていてもよい。
【００４３】
このことにより、簡易な構成によって排出機構が構成される。また、装置を縦置きした場合であっても横置きした場合であっても、記録媒体は容易に排出される。
【００４４】
装置ケーシングは上面が平坦な上板を有し、供給口及び排出口は前記上板に形成されていることが好ましい。
【００４５】
このことにより、装置ケーシングの上板上に、記録前の記録媒体や記録後の記録媒体等を一時的に載置することができ、装置ケーシングの上方のスペースを有効活用することができる。
【００４６】
前記記録装置は、供給口及び排出口が横方向または斜め横方向に開口するように横置き自在に構成されていることが好ましい。
【００４７】
このことにより、記録装置の設置態様を設置スペースや設置環境に応じて自由に選択することができ、利便性が向上する。
【００４８】
前記記録装置は、排出側収容部が供給側収容部よりも上側に位置するように横置きされるものであってもよい。
【００４９】
前記記録装置は、供給側収容部と排出側収容部とが左右方向に並ぶように横置きされるものであってもよい。
【００５０】
このことにより、横置きした場合、ユーザが記録媒体を容易に取り出すことができる。上方向または横方向に記録媒体を取り出すことが困難な場所に設置した場合でも、横置き設置することにより、前方より記録媒体の供給及び排出を行うことができる。
【００５１】
【発明の効果】
以上のように、本発明の記録装置によれば、ジャムの発生を未然に防止することができるとともに、装置の重心の偏りを抑制することができ、装置の安定性を向上させることができる。そのため、装置の省スペース化を図りつつ、転倒を防止することができる。また、装置の不安定性に起因する振動を抑制することができ、記録動作の安定性向上及び記録品質の向上を図ることができる。
【００５２】
装置を薄型に形成することができるので、幅の小さなスペースにも設置が可能となる。
【００５３】
横置き自在に構成することにより、設置スペースに応じて縦置きまたは横置きのいずれの設置態様も自由に選択することができ、利便性を向上させることができる。
【００５４】
【発明の実施の形態】
以下、本発明の実施の形態を図面に基づいて説明する。
【００５５】
＜実施形態１＞
図１及び図２に示すように、実施形態１に係る記録装置は、いわゆる縦置き設置が可能なインクジェット式のプリンタ１である。プリンタ１はいわゆる横置き設置も可能であるが、以下では縦置き設置した場合について説明する。
【００５６】
プリンタ１のケーシング１０は、縦長の直方体形状に形成されている。ケーシング１０の天板２５の左側部には給紙口１１が設けられ、右側部には排紙口１２が設けられている。給紙口１１及び排紙口１２は、いずれも前後方向に細長い開口であり、上向きに開口している。給紙口１１及び排紙口１２には、それぞれ蓋２３，２４が設けられている。
【００５７】
図２に示すように、ケーシング１０には、天板２５から下向きに延びる２つの区画板１９，２０と、ケーシング１０内の下部において左側板２６から右向きに延びる区画板２１と、ケーシング１０内の下部において右側板２７から左向きに延びる区画板２２とが設けられている。ケーシング１０の内部はこれら区画板１９，２０，２１，２２によって仕切られており、ケーシング１０の内部には、給紙部１３と制御部１６と記録部１７と排紙部１５とが形成されている。すなわち、ケーシング１０内の左側部分には、左側板２６と区画板１９と区画板２１とによって仕切られた給紙部１３が形成されている。ケーシング１０内の右側部分には、右側板２７と区画板２０と区画板２２とによって仕切られた排紙部１５が形成されている。ケーシング１０内の中央部の下側部分には、インクジェットヘッド１８を有する記録部１７が形成されている。記録部１７の上側には、区画板１９と区画板２０とによって仕切られた制御部１６が形成されている。なお、制御部１６と記録部１７とは、本体部７０を構成している。
【００５８】
給紙部１３の左側板２６と区画板１９と区画板２１とは、印字前の記録紙を収容する供給側収容部を形成している。区画板１９には、記録紙４０の紙倒れを防止するための紙倒れ防止機構５４が設けられている。紙倒れ防止機構５４は、区画板１９に固定されたバネ５５と、バネ５５の先端に固定されたローラ５６とを備えている。この紙倒れ防止機構５４は、バネ５５の付勢力によって記録紙４０の上端部を左側板２６側に押さえつけることにより紙倒れを防止する一方、ローラ５６の回転によって記録紙４０の搬送を円滑化するものである。
【００５９】
給紙部１３には、区画板２１と左側板２６とに立て掛けられた傾斜板２８と、区画板２１上の先端側（図２の右側）に設けられた埋没自在な突起２９とが設けられている。傾斜板２８の下端部に対向する位置には、ピックアップローラ３０が設けられている。これら傾斜板２８、突起２９及びピックアップローラ３０は、給紙部１３内の記録紙４０を記録部１７側に向かって一枚毎に送り出すための用紙送り出し手段を構成している。給紙部１３内の紙を送り出す際には、突起２９が区画板２１内に埋没するとともに傾斜板２８の傾き度合いが大きくなり、傾斜板２８上の記録紙４０の下端部がピックアップローラ３０と接触する。そして、ピックアップローラ３０が回転することにより、傾斜板２８上の最も上側に位置する記録紙４０のみが記録部１７側に送り出されることになる。
【００６０】
ピックアップローラ３０の下方には、前後方向（図２の紙面表裏方向）に複数配列されたピンチローラ（分割ローラ）３１と、これらピンチローラ３１と対向するように配置された駆動ローラからなる給紙ローラ３２とが設けられている。ピックアップローラ３０とピンチローラ３１と給紙ローラ３２とは、上下方向に一直線上に並んでいる。そのため、ピックアップローラ３０と給紙ローラ３２とは、上下方向にオーバーラップしている。ピンチローラ３１の左方には、給紙部１３から記録部１７に向かって延びるガイド板３３が設けられている。このガイド板３３は、給紙部１３から搬送される記録紙４０の先端部を給紙ローラ３２とピンチローラ３１との間に導くものである。なお、ピックアップローラ３０とピンチローラ３１と給紙ローラ３２とは、供給側搬送機構を構成している。
【００６１】
図３に示すように（なお、図２においては、記録部１７の詳細な構成は省略している。）、記録部１７は、記録ヘッドとしてのインクジェットヘッド１８と、インクジェットヘッド１８にインクを供給するインクタンク３６とを備えている。本実施形態のインクジェットヘッド１８は、ピエゾ式のインクジェットヘッドである。インクタンク３６はインクジェットヘッド１８に一体的に取り付けられている。インクジェットヘッド１８及びインクタンク３６は、前後方向（図３の左右方向）に延びるキャリッジ軸３７に対して往復移動自在に取り付けられている。キャリッジ軸３７の下方には、インクジェットヘッド１８のヘッド面と対向するように配置されたプラテン３４が設けられている。
【００６２】
プラテン３４の後側には、インクジェットヘッド１８が非記録位置にあるときにインクジェットヘッド１８のヘッド面を覆うキャップ３８が設けられている。キャップ３８にはインク排出用のチューブ３９が取り付けられており、このチューブ３９にはインク吸引機構４１が設けられている。インク吸引機構４１は、インクジェットヘッド１８のインクをキャップ３８内に吸引除去し、さらにキャップ３８内のインクをチューブ３９を通じてインク容器４２に排出するものである。インク吸引機構４１の構成は特に限定されるものではなく、例えば図４（ａ）及び（ｂ）に示すように、吸引弁４３及び排出弁４４を備えた蛇腹状の伸縮体４５によって構成されたポンプであってもよい。
【００６３】
インクジェットヘッド１８は、ノズル内のインクの増粘を防止するために、非記録位置において間欠的に全ノズルからインクを吐出するように構成されている。図３に示すように、プラテン３４の前側には、そのように吐出されたインクを回収するインク容器３５が設けられている。なお、キャップ３８、インク容器４２及びインク容器３５の内部には、主としてインクの飛散を防止するために、スポンジ等からなるインク吸収体４６が設けられている。
【００６４】
図２に示すように、プラテン３４の右方には、駆動ローラからなる排紙ローラ４７と、排紙ローラ４７と対向するように配置された拍車ローラ４８とが設けられている。拍車ローラ４８は、前後方向に所定間隔毎に配列された複数の小ローラからなっている。拍車ローラ４８は、記録紙４０を所定間隔毎に押さえつけることによって記録紙４０に適度な張力を与え、ジャム（紙詰まり）の発生を防止している。
【００６５】
インクジェット方式の記録では、記録紙４０にインク滴を着弾させてインクドットを形成するが、記録紙４０にインク滴が着弾すると、インクに含まれる溶媒は直ちに蒸発する。すると、記録紙４０の収縮が起こり、そのままでは記録紙４０に皺や波打ちが発生し、インクジェットヘッド１８と記録紙４０との間の間隔が変動して記録の品質が低下しやすい。そこで、本実施形態では、排紙ローラ４７の対向ローラとして拍車ローラ４８を用い、記録紙４０に張力を与えることによって、記録紙４０のプラテン３４上の領域を平坦な面にしている。また、拍車ローラ４８は、インクドットが形成された直後の記録面と直接接触するため、記録面との接触面積は小さい方がよい。そこで、本プリンタ１では、拍車ローラ４８を、複数の小ローラからなるいわゆる分割拍車ローラによって形成することとした。
【００６６】
プラテン３４の右側部の上方には、記録紙４０を排紙ローラ４７と拍車ローラ４８との間に導くガイド板４９が設けられている。ガイド板４９は水平方向に延びる板状部材からなり、その左端部は記録紙４０を導入しやすいように上方に傾斜している。
【００６７】
排紙ローラ４７及び拍車ローラ４８の右方には、記録紙４０の搬送経路を排紙部１５に向かって右斜め上方に変更させる経路変更板５０が設けられている。
【００６８】
経路変更板５０の右上方には、駆動ローラ５１と対向ローラ５２とが設けられている。駆動ローラ５１及び対向ローラ５２の上方には、左右方向に移動自在な押し込み体５３が設けられている。押し込み体５３は、駆動ローラ５１及び対向ローラ５２によって搬送された記録紙４０の後端部を排紙部１５内に押し込むものである。本実施形態では、押し込み体５３は平板形状に形成されているが、押し込み体５３の形状は特に限定されるものではなく、円柱形状、角柱形状等、他の形状であってもよい。なお、排紙ローラ４７、拍車ローラ４８、経路変更板５０、駆動ローラ５１、及び対向ローラ５２は、排出側搬送機構を構成している。
【００６９】
排紙部１５の右側板２７と区画板２０と区画板２２とは、記録後の記録紙４０を収容する排紙側収容部を形成している。給紙部１３と同様、排紙部１５の区画板２０にも、バネ５５及びローラ５６を有する紙倒れ防止機構５４が設けられている。区画板２２の先端部は、収容した記録紙４０を脱落させないように上方に屈曲している。
【００７０】
また、排紙部１５には、上下移動自在な移動板５７が設けられている。移動板５７の上面は平滑面であり、記録紙４０の後端部を支持する支持面を形成している。移動板５７は、記録時には排紙部１５の底部（つまり、区画板２２の表面上）に位置する一方、記録紙４０を排紙口１２から取り出す際には、上方に移動する。このように移動板５７が上方に移動することにより、記録紙４０は排紙口１２から所定長さ分だけ突出する。したがって、ユーザは記録紙４０の上端部をつまんで引き出すことによって、排紙部１５の内部に手を挿入することなく記録紙４０を容易に取り出すことができる。
【００７１】
図５に示すように、排紙部１５には、記録紙４０の側辺部を支持する用紙隔壁６０が設けられている。用紙隔壁６０は前後方向（つまり、記録紙４０の幅方向）に移動自在な平板であり、記録紙４０の用紙サイズに応じて手動または自動で上記方向に移動する。
【００７２】
移動板５７には、移動板５７の上下移動の際に用紙隔壁６０を挿通させる第１及び第２の挿通口６４，６５が形成されている。第１挿通口６４は、記録紙４０がＡ６サイズの用紙の場合に用紙隔壁６０が設定される位置に形成されている。第２挿通口６５は、記録紙４０がＡ５サイズの用紙の場合に用紙隔壁６０が設定される位置に形成されている。このように挿通口６４，６５が形成されていることにより、記録紙４０の取り出しの際に移動板５７と用紙隔壁６０との衝突が防止され、移動板５７の円滑な昇降動作が確保されている。
【００７３】
なお、制御部１６には、給紙部１３に収容された用紙サイズを検出する用紙サイズ検出器７１と、用紙隔壁６０の設定位置が記録紙４０の用紙サイズに対応していないときに警告を発するアラーム機構７２とが設けられている。用紙サイズ検出器７１は、用紙サイズをユーザの手動による設定入力により検出するものであってもよく、用紙サイズを自動的に検出するものであってもよい。アラーム機構７２には、警告音を発信する機構や、プリンタ１の表示部（図示せず）に所定の警告を表示させる機構等を用いることができる。また、アラーム機構７２は、プリンタ１の破損を防止するため、用紙隔壁６０の設定位置が記録紙４０の用紙サイズに対応していないときに、移動板５７の移動を強制的に中止させる保護装置を備えていてもよい。
【００７４】
図６に示すように、移動板５７の上昇位置は、排紙口１２から突出する記録紙４０の突出長さＬが一定となるように、記録紙４０の用紙サイズに応じて異なっている。すなわち、移動板５７は、用紙サイズが小さいほど高い位置にまで上昇するように構成されている。例えば、図６（ａ）に示すように、記録紙４０ａがＡ６サイズの用紙の場合には、移動板５７は最も上方の第１位置にまで上昇する。図６（ｂ）に示すように、記録紙４０ｂがＡ５サイズの用紙の場合には、移動板５７は上記第１位置よりも低い第２位置にまで上昇する。図６（ｃ）に示すように、記録紙４０ｃがＡ４サイズの用紙の場合には、移動板５７は最も低い第３位置にまで上昇する。したがって、用紙サイズの異なる複数種類の記録紙４０ａ〜４０ｃを用いた場合であっても、各記録紙４０ａ〜４０ｃの排紙口１２からの突出長さは一定となり、記録紙４０ａ〜４０ｃの取り出し作業は容易になる。また、用紙サイズの大きな記録紙４０ｃを取り出す場合であっても、プリンタ１の上方に必要とされる空間は小さくてすむ。そのため、設置スペースを低減することができる。
【００７５】
図１に示すように、ケーシング１０の前面には、排出スイッチ５８と、排出完了表示部５９とが設けられている。排出スイッチ５８は、ユーザが排紙部１５の記録紙４０を取り出す際に入力するスイッチである。当該排出スイッチ５８の入力により、排紙部１５の蓋２４が開放されるとともに移動板５７が上昇し、排紙口１２から記録紙４０の一部が突出する。これにより、ユーザは記録紙４０を容易に取り出すことができる。排出スイッチ５８は、押しボタンスイッチ等の公知のスイッチの他、リモコン等によって遠隔操作される各種スイッチ等によって構成することができる。排出完了表示部５９は、排紙部１５内の記録紙４０の有無を通知するための表示部であり、排紙部１５に記録紙４０が残っているときには点灯し、記録紙４０の取り出しが完了すると消灯する。ただし、排出完了表示部５９の表示方法は特に限定されるものではなく、記録紙４０の取り出しが完了したときに点灯するように構成されていてもよい。また、排出完了表示部５９は独立した表示部であってもよく、プリンタ１の各種設定のために用いられる表示部（図示せず）と兼用されていてもよい。
【００７６】
以上のように、本実施形態に係るプリンタ１では、給紙部１３及び排紙部１５は上向きに延びており、本体部７０は給紙部１３と排紙部１５との間に設けられている（図２参照）。また、給紙部１３から記録部１７に至る搬送経路及び記録部１７から排紙部１５に至る搬送経路は、それぞれ記録紙４０の搬送方向を略直角方向に変化させるように形成されている。給紙部１３から排紙部１５に至る搬送経路の全体は、略Ｕ字型に形成されている。
【００７７】
図７に示すように、記録部１７から排紙部１５に向かう搬送経路の変更角度θ、つまり記録部１７における搬送方向Ｄ１と排紙部１５に向かう搬送方向Ｄ２とのなす角の角度θは、０゜以上且つ１８０゜未満となっている。なお、角度θは９０゜〜１５０゜が好ましく、１１０゜〜１３０゜が特に好ましい。本実施形態では、上記角度θは約１２０゜に設定されている。このように角度θを０〜１８０゜とした理由は、記録紙４０自体の復元力によって記録紙４０をプラテン３４に押しつけ、記録面を平坦化するためである。
【００７８】
図１及び図２に示すように、給紙部１３の給紙口１１と排紙部１５の排紙口１２とは、天板２５と同じ高さに設けられている。また、蓋２３，２４を閉じた状態において、ケーシング１０の上面は面一となる。したがって、ケーシング１０の上に記録紙等を一時的に載置することができ、プリンタ１の上方のスペースを有効活用することができる。
【００７９】
次に、図２を参照しながら、給紙から排紙に至るまでの動作について説明する。
【００８０】
給紙の際には、まず、給紙部１３の蓋２３が開放され、給紙口１１から記録紙４０が挿入される。挿入された記録紙４０は、それらの下辺部が突起２９によって支持された状態で、給紙部１３内に収容される。通常は複数枚の記録紙４０が収容されるが、１枚の記録紙４０のみを収容してもよいことは勿論である。
【００８１】
記録動作の際には、突起２９が埋没すると同時に、傾斜板２８の下端部が右側に移動するように傾斜板２８が移動する。これにより、傾斜板２８上の最も上側に位置する記録紙４０がピックアップローラ３０と接触し、ピックアップローラ３０の回転によって上記記録紙４０が取り出される。そして、この記録紙４０は、給紙ローラ３２によって記録部１７に搬送される。
【００８２】
記録部１７においては、インクジェットヘッド１８から記録紙４０に向かってインク滴が吐出される。これらインク滴は記録紙４０に着弾し、記録紙４０上に複数のインクドットを形成する。そして、これらインクドットにより、記録紙４０上に所望の画像等が形成される。
【００８３】
画像等が形成された記録紙４０は、排紙ローラ４７によって搬送され、経路変更板５０によって搬送経路を変えた後、駆動ローラ５１によって排紙部１５に搬送される。排紙部１５に搬送された記録紙４０は、その後端部が押し込み体５３によって右方向に押し込まれることにより、排紙部１５内に起立した状態で収容される。
【００８４】
上述の搬送動作及び記録動作は記録紙４０ごとに連続して行われ、その結果、排紙部１５に複数枚の記録紙４０が収容される。その後は、ユーザが排出スイッチ５８をＯＮすることにより、排紙部１５の蓋２４が開放され、移動板５７の上昇によって記録紙４０が上方に持ち上げられる。その結果、記録紙４０の一部が排紙口１２から突出することになり、ユーザは記録紙４０を容易に取り出すことができる。
【００８５】
なお、上記説明では、プリンタ１を縦置き設置した場合を説明したが、本プリンタ１は横置き設置も可能である。なお、横置き設置の場合には、移動板５７は上下方向に移動する代わりに水平方向に移動することになる。具体的には、図８に示すように、記録紙４０を水平状態で供給及び排出するように横置きすることもでき、また、図９に示すように、記録紙４０を垂直状態で供給及び排出するように横置きすることも可能である。本プリンタ１は、設置スペース及び設置環境に応じて、縦置き及び横置きのいずれの設置態様も自由に選択することができる。
【００８６】
以上のように、本プリンタ１では、給紙部１３及び排紙部１５が互いに平行に形成されているので、プリンタの全体形状が薄型になっている。したがって、プリンタの小型化を促進することができ、設置スペースの削減を図ることができる。従来のようにプリンタ専用のラック等は不要となり、例えば、縦置き設置する場合には、テレビの横やタワー型パソコンの側方などの小さなスペースにも設置することが可能となる。また、リビングに置いても、違和感なく使用することができる。
【００８７】
縦置き設置の場合に、給紙部１３及び排紙部１５のそれぞれが鉛直方向に延びる状態となるので、プリンタ１は転倒しにくくなる。特に、本実施形態では、給紙部１３と排紙部１５とは本体部７０を挟んで反対側に配置されているので、プリンタ１の全体の重心は、ケーシング１０の中央部に位置しやすくなる。そのため、プリンタ１の転倒のおそれは少ない。また、記録動作時の振動が抑制される。したがって、記録動作は安定し、印字品質は向上する。
【００８８】
ピックアップローラ３０と給紙ローラ３２とがケーシング１０の長手方向にオーバーラップしているので、ケーシング１０の幅を薄くすることができる。
【００８９】
記録部１７の記録ヘッドとしてインクジェットヘッド１８を用いているので、記録部１７を小型化することができる。また、高画質の画像を得ることができる。
【００９０】
記録部１７における搬送方向Ｄ１と排紙部１５に向かう搬送方向Ｄ２とのなす角の角度θが１８０゜よりも小さいので、プラテン３４上の記録紙４０は、記録紙４０自体の復元力によってプラテン３４側に押さえつけられる。したがって、記録紙４０の後端部がプラテン３４上から跳ね上がることはない。そのため、記録紙４０の記録面の位置が変動することがなく、記録品質は向上する。また、記録紙４０の後端部がインクジェットヘッド１８に接触するおそれがなく、記録紙４０によるインクジェットヘッド１８の損傷は起こらない。
【００９１】
ところで、記録紙４０に張力を与えるための拍車ローラ４８として分割拍車ローラを用いる装置では、拍車ローラ４８だけでは記録紙４０に与えられる張力は小さくなりやすい。また、記録紙４０に与えられる張力は不均一になりやすい。しかし、本実施形態のプリンタ１では、記録紙４０自体の復元力によって記録紙４０がプラテン３４側に押さえつけられるので、記録紙４０の全体が適度な力で且つ均一にプラテン３４に押しつけられる。したがって、分割拍車ローラを用いているにも拘わらず、記録紙４０の記録面を十分に平坦化することができる。
【００９２】
縦置き設置の場合に、排紙部１５に導入された記録紙４０の後端部を押し込み体５３によって排紙部１５側に押し込むこととしたので、ジャムの発生をより確実に防止することができる。すなわち、複数枚の記録紙４０を連続印刷する際に、先に印字された記録紙４０の後端部が駆動ローラ５１及び対向ローラ５２の近傍に残っていると、後から印字された記録紙４０の先端部が先の記録紙４０の後端部と接触し、ジャムを発生しやすくなる。しかし、本実施形態によれば、先の記録紙４０の後端部は押し込み体５３によって排紙部１５の右側板２７側に押し込まれるので、先の記録紙４０が後の記録紙４０の搬送経路を邪魔することがなく、ジャムの発生は未然に防止される。
【００９３】
記録部１７はケーシング１０の下部に設けられ、その周りを覆われているので、ユーザが誤って記録部１７に触れることはない。したがって、ユーザが誤って記録部１７を破損させるおそれはない。
【００９４】
また、印字された記録紙４０は、周囲を覆われた排紙部１５に収容される。そのため、直ちにプリンタ１の外部に排出される従来のプリンタと異なり、ユーザが印字直後の記録紙４０の記録面に触れるおそれはない。したがって、記録紙４０の記録面が十分に乾燥してから記録紙４０を取り出すことになるので、印字のにじみ等は防止される。
【００９５】
給紙部１３及び排紙部１５には開閉自在な蓋２３，２４がそれぞれ設けられているので、給紙部１３及び排紙部１５に塵や埃が入り込むことを防止することができる。したがって、プリンタ１の信頼性及び寿命を向上させることができる。
【００９６】
排出完了表示部５９を設けたので、ユーザが排紙部１５における記録紙４０の有無を容易に把握することができる。
【００９７】
排出スイッチ５８を設け、排出スイッチ５８を入力したときに排紙部１５の蓋２４を開放することとしたので、記録紙４０の取り出しのときにだけ排紙部１５を開放することができる。
【００９８】
−変形例−
なお、記録紙４０を上昇させる移動板５７は、一枚の板に挿通口６４，６５を設ける代わりに、図１０に示すように、互いに分離された複数の移動板６１，６２，６３から構成されていてもよい。この場合、移動板６１，６２，６３のすべてを昇降させてもよく、用紙サイズに応じて１または２の移動板のみを昇降させてもよい。
【００９９】
搬送経路の変更角度θは前述した値に限らず、記録紙４０の後端部が下向きに力を受ける限り、どのような値でもよく、０゜以上且つ１８０゜未満の範囲内で任意の値をとることができる。
【０１００】
上記実施形態では、ユーザが排出スイッチ５８をＯＮすることにより記録紙４０を取り出すようにしていたが、このような手動の操作に限らず、所定の記録動作が終了すると蓋２４の開放及び移動板５７の移動が自動的に行われるように構成されていてもよい。
【０１０１】
また、給紙部１３の左側板２６と区画板１９と区画板２１とで、印字前の記録紙４０を収容する供給側収容部を形成したが、供給側収容部をカセットで構成してもよい。また、排紙部１５の右側板２７と区画板２０と区画板２２とで、印字後の記録紙４０を収容する排紙側収容部を形成したが、排紙側収容部をカセットで構成してもよい。このようにすることにより、記録紙４０を１回で纏めて収容する場合や、纏めて取り出したりする場合に、利便性が向上する。
【０１０２】
＜実施形態２＞
図１１に示すように、実施形態２に係るプリンタ１００は、排紙部１５の区画板２２を記録部１７のプラテン３４の表面よりも低い位置に設け、記録部１７からの記録紙４０を排紙部１５に導く駆動ローラ５１及び対向ローラ５２等（図２参照）を省略することとしたものである。
【０１０３】
本プリンタ１００では、排紙部１５の排紙口１２は給紙部１３の給紙口１１よりも低い位置に設けられており、排紙部１５の上部には段差部が設けられている。ただし、実施形態１と同様に排紙口１２を給紙口１１と同じ高さに設けてもよいことは勿論である。排紙部１５の区画板２２は、給紙部１３の区画板２１よりも低い位置に設けられている。
【０１０４】
本プリンタ１００は、記録部１７から排紙部１５に搬送された記録紙４０を排紙部１５に押し込む押込手段として、実施形態１のようなスライド移動式の押し込み体５３ではなく、図１２（ａ）及び（ｂ）に示すように、回転式の押し込み板１０１を備えている。押し込み板１０１は、記録紙４０の用紙サイズに応じて分割された複数の板、すなわち第１押し込み板１０２と第２押し込み板１０３と第３押し込み板１０４とから構成されている。押し込み板１０２〜１０４の上端部は、回転軸１０５に固定されている。これにより、回転軸１０５を回転させることによって、押し込み板１０１は上端部を中心として回転する。記録紙４０を排紙部１５に搬送する際には、押し込み板１０１は記録部１７側に傾き（図１２（ｂ）参照）、排紙部１５の導入部分の空間を大きくすることによって記録紙４０の搬送を容易にする。一方、記録紙４０を排紙部１５に収容した後は、押し込み板１０１は右側板２７側に傾き（図１２（ａ）参照）、紙倒れ防止機構５４（図１２においては図示せず）によって記録紙４０を排紙部１５の右側板２７側に押しつける。
【０１０５】
排紙部１５には、前後方向（つまり、用紙の幅方向）に移動自在な用紙隔壁１０６が設けられている。この用紙隔壁１０６は、排紙部１５の収容空間を記録紙４０のサイズに応じた大きさに調整するためのものである。押し込み板１０２〜１０４の押し込み動作の際に押し込み板１０２〜１０４が用紙隔壁１０６とぶつからないように、各押し込み板１０２〜１０４の間には、用紙隔壁１０６の厚みよりも幅の広い隙間が形成されている。
【０１０６】
第１押し込み板１０２は、Ａ６サイズの記録紙４０に対応した大きさに形成されている。第２押し込み板１０３は、第１押し込み板１０２と共同することによってＡ５サイズの記録紙４０に対応する大きさに形成されている。第３押し込み板１０４は、第１押し込み板１０２及び第２押し込み板１０３と共同することによってＡ４サイズの記録紙４０に対応する大きさに形成されている。そして、記録紙４０がＡ６サイズの用紙の場合には、用紙隔壁１０６は第１押し込み板１０２と第２押し込み板１０３との間に設定される。一方、記録紙４０がＡ５サイズの用紙の場合には、用紙隔壁１０６は第２押し込み板１０３と第３押し込み板１０４との間に設定される。記録紙４０がＡ４サイズの用紙の場合には、用紙隔壁１０６は第３押し込み板１０４の後側（図１２（ａ）に示す左側）に設定される。
【０１０７】
また、本プリンタ１００では、移動板５７もまた、用紙サイズに応じて第１移動板１０７、第２移動板１０８及び第３移動板１０９に分割されている。第１〜第３移動板１０７〜１０９の間にも、用紙隔壁１０６よりも幅の大きな隙間が形成されている。
【０１０８】
なお、押し込み板１０１の各板１０２〜１０４は、一体となって回転するように形成されていてもよく、個別に回転するように形成されていてもよい。また、移動板５７の各板１０７〜１０９も、一体となって移動するように形成されていてもよく、個別に移動するように形成されていてもよい。
【０１０９】
本実施形態のプリンタ１００も、実施形態１のプリンタ１と同様、縦置き設置及び横置き設置の両方の設置態様が可能である。
【０１１０】
本実施形態では、区画板２２をプラテン３４の表面よりも低い位置に設けたので、排紙ローラ４７から搬送された記録紙４０を排紙部１５に導入するための導入機構（実施形態１における駆動ローラ５１及び対向ローラ５２など）は不要となる。したがって、部品点数の削減及びプリンタの更なる小型化が可能となる。また、排紙経路が短縮化されるので、排紙に必要な時間を短くすることができる。
【０１１１】
押し込み板１０１が回転式に形成されているので、実施形態１と異なり、記録部１７と排紙部１５との間に押し込み体を収容するためのスペースを設ける必要がない。したがって、プリンタを更に小型化することができる。
【０１１２】
−変形例−
上記実施形態では、排紙部１５の区画板２２及び移動板５７は、水平方向に延びる平板形状に形成されていた。しかし、図１３に示すように、区画板２２及び移動板５７を記録部１７側に向かって上方に傾斜する傾斜板によって形成してもよい。区画板２２及び移動板５７を記録部１７に向かって上方に傾斜するように形成することにより、記録紙４０の下端部は右側板２７側に移動しようとする力を受ける。したがって、図１４（ａ）に示すような記録紙４０のたわみを防止することができ、図１４（ｂ）に示すように、記録紙４０を直立状態に保持することが容易になる。
【０１１３】
図１５に示すように、紙倒れ防止機構５４を押し込み板１０１と制御部１６との間に設けてもよい。このように紙倒れ防止機構５４を押し込み板１０１の制御部１６側に設けることにより、プリンタ１００を横置きした場合に、押し込み板１０１の上面（右側板２７側の面）に記録紙４０を載置することが容易になる。つまり、押し込み板１０１の上面に紙倒れ防止機構５４が設けられていないので、押し込み板１０１の上面は平らな面となり、記録紙４０を容易に積層することができる。したがって、記録紙４０を整理した状態で収容することができ、記録紙４０の収容状態を向上させることができる。
【０１１４】
横置き設置の場合には、排紙ローラ４７と拍車ローラ４８との間から排紙部１５に向かって記録紙４０が導入される際に、移動板５７を若干量だけ水平方向に移動させることにより、記録紙４０の後縁部を排紙部１５の内部に押し出すことが好ましい。これにより、記録紙４０は排紙部１５内の適正な位置に導かれることになる。
【０１１５】
横置き設置の場合には、記録紙４０のサイズによっては、排紙部１５に導入したときに記録紙４０の先端部が排紙部１５の蓋２４に接触し、記録紙４０の先端部がたわんでしまうおそれがある。そのような場合は、蓋２４を開放した状態で記録紙４０を排紙部１５に導入することが好ましい。蓋２４は、記録紙４０を排紙部１５に導入する際に自動的に開放するように構成されていてもよい。
【０１１６】
＜実施形態３＞
図１６に示すように、本実施形態に係るプリンタ１１０は、排紙部１５の区画板２２を記録部１７側に向かって下方に傾斜するように形成し、区画板２２に記録紙４０の搬送経路の変更機能を持たせることにより、経路変更板５０（図２参照）を省略したものである。
【０１１７】
プリンタ１１０の区画板２２は、排紙ローラ４７及び拍車ローラ４８の右側近傍にまで延びており、区画板２２の先端部はプラテン３４の表面よりも低い位置にある。そのため、排紙ローラ４７と拍車ローラ４８との間を通過した記録紙４０は、その先端が区画板２２上を移動することにより、搬送経路が右向き方向から徐々に上向き方向に変更される。このように、本実施形態では、排紙部１５の区画板２２が搬送経路の一部を形成している。
【０１１８】
なお、区画板２２が移動板５７を兼ねていてもよい。この場合、用紙サイズの異なる複数の記録紙の突出長さを一定にすることができ、取り出し作業が容易になる。また、構成が簡素化され、装置の更なる小型化が可能になり、かつコストダウンを図ることができる。
【０１１９】
以上のように、本実施形態によれば、経路変更板５０を省略することができ、部品点数の削減を図ることが可能となる。また、排紙経路を更に短縮することができ、排紙時間を一層短くすることができる。
【０１２０】
なお、本プリンタ１１０も、縦置き設置及び横置き設置の両方の設置態様が可能である。
【０１２１】
＜実施形態４＞
図１７に示すように、実施形態４に係るプリンタ１１１は、記録部１７から排紙部１５への記録紙４０の挿入を、排紙部１５の右側から行うようにしたものである。
【０１２２】
本実施形態では、給紙部１３の用紙送り出し手段は、傾斜板２８の代わりに、記録紙４０の下端部を記録部１７側に押し込む押し込み板１１２を備えている。したがって、本実施形態における用紙送り出し手段は、押し込み板１１２、突起２９及びピックアップローラ３０によって構成されている。なお、押し込み板１１２は、プリンタ１１１を縦置き設置した場合には左右方向に移動し、横置き設置した場合には上下方向に移動することになる。
【０１２３】
記録部１７のプラテン３４の上方には、記録紙４０をインクジェットヘッド１８とプラテン３４との間に導くガイド板１１３，１１４が設けられている。
【０１２４】
排紙部１５の右側板１１７の下側には、経路変更板５０によって搬送経路が変更された記録紙４０を導入する導入口１１８が形成されている。本実施形態では、駆動ローラ５１及び対向ローラ５２は、導入口１１８に設けられている。
【０１２５】
本実施形態では、印字された記録紙４０は、排紙部１５の区画板２０上に堆積していく。そのため、記録紙４０が堆積する面を収容側壁面と称するとすると、給紙部１３の収容側壁面（つまり左側板２６）と排紙部１５の収容側壁面（区画板２０）とは、同一の側（図１７の左側）に位置することになる。したがって、図１８に示すように、プリンタ１１１を横置きした場合に、給紙部１３の収容側壁面と排紙部１５の収容側壁面とを、共に下面とすることができる。また、横置き設置の場合に、排紙部１５の導入部分は上側に位置することになるので、排紙部１５への記録紙４０の搬送が容易になる。
【０１２６】
なお、横置き設置の場合に記録紙４０の取り出しを容易にするために、排紙部１５の区画板２０に、排紙口１２に向かって上向きに傾斜する傾斜板１１５を設けるようにしてもよい。また、蓋２４を開いた状態で記録紙４０の先端部をつかみやすいように、記録紙４０の先端部を持ち上げる突起１１６を蓋２４の内面に設けるようにしてもよい。
【０１２７】
本実施形態に係るプリンタ１１１も、縦置き設置及び横置き設置の両方の設置態様が可能である。
【０１２８】
＜実施形態５＞
図１９に示すように、実施形態５に係るプリンタ１２０は、給紙部１３と排紙部１５とを隣接させ、記録部１７を排紙部１５の外側に設けたものである。
【０１２９】
本実施形態では、区画板２１の突起２９の右方に、ピックアップローラを兼ねる給紙ローラ１２１が設けられている。給紙ローラ１２１の右側には、対向ローラ１２２が設けられている。記録部１７は、給紙ローラ１２１の右斜め上に設けられている。記録動作の際に記録紙４０が上下方向に搬送されるように、給紙ローラ１２１と対向ローラ１２２との隙間、インクジェットヘッド１８とプラテン３４との隙間、及び排紙ローラ４７と拍車ローラ４８との隙間は、上下方向に並んでいる。本実施形態では、排紙部１５の右側板は実施形態２と同様の押し込み板１０１によって形成されている。
【０１３０】
なお、本実施形態に係るプリンタ１２０も、縦置き設置及び横置き設置の両方の設置態様が可能である。
【０１３１】
＜その他の実施形態＞
上記各実施形態では、給紙部１３及び排紙部１５の長手方向は、それぞれケーシング１０の底面と直交していた。しかし、例えば図２０（ａ）〜（ｃ）に示すように、給紙部１３及び排紙部１５は、それらの長手方向がケーシング１０の底面から傾斜していてもよい。ただし、装置の安定性を高めるために、給紙部１３及び排紙部１５は、それらの長手方向が同一の方向に傾いていないことが好ましい。つまり、給紙部１３の長手方向と排紙部１５の長手方向とは、いずれか一方のみが傾いているか、あるいは、互いに逆の方向に傾いていることが好ましい。具体的には、給紙部１３の長手方向とケーシング１０の底面９０とのなす角の角度θ１は９０゜〜１２０゜が好ましく、排紙部１５の長手方向とケーシング１０の底面９０とのなす角の角度θ２も９０゜〜１２０゜が好ましい。上記角度θ１とθ２とが同一の値であれば、左右の対称性が保たれ、安定性が更に向上するのでより好ましい（図２０（ｃ）参照）。
【０１３２】
給紙口１１または排紙口１２は、斜め上方向に開口していてもよく、給紙部１３または排紙部１５は斜め上方向に延びていてもよい。
【０１３３】
記録媒体は記録用紙４０に限定されるものではなく、ＯＨＰ用のフィルムなど、その他のシート状記録媒体であってもよい。
【図面の簡単な説明】
【図１】
プリンタを縦置き設置した場合の斜視図である。
【図２】
プリンタの内部構造を示す断面図である。
【図３】
記録部の要部の概略構成図である。
【図４】
（ａ）及び（ｂ）は、インク吸引機構の断面図である。
【図５】
排紙部の要部の斜視図である。
【図６】
（ａ）〜（ｃ）は、用紙サイズに応じた支持板の上昇位置を説明する概念図である。
【図７】
記録紙の搬送経路を説明する記録部近傍の正面図である。
【図８】
プリンタを横置き設置した場合の斜視図である。
【図９】
プリンタを横置き設置した場合の斜視図である。
【図１０】
排紙部の変形例の斜視図である。
【図１１】
プリンタの内部構造を示す断面図である。
【図１２】
（ａ）及び（ｂ）は、排紙部の要部の斜視図である。
【図１３】
プリンタの内部構造を示す断面図である。
【図１４】
排紙部における記録紙のたわみ状態を説明するための図であり、（ａ）は支持板が水平な場合、（ｂ）は支持板が傾斜している場合を示す。
【図１５】
プリンタの内部構造を示す断面図である。
【図１６】
プリンタの内部構造を示す断面図である。
【図１７】
プリンタの内部構造を示す断面図である。
【図１８】
プリンタの内部構造を示す断面図である。
【図１９】
プリンタの内部構造を示す断面図である。
【図２０】
（ａ）〜（ｃ）は、給紙部と排紙部とケーシング底面との位置関係を説明する模式図である。
【図２１】
（ａ）は従来のプリンタの斜視図、（ｂ）は従来のプリンタの側面図である。
【図２２】
従来のプリンタの要部断面図である。
【符号の説明】
１０        ケーシング（装置ケーシング）
１１        給紙口（供給口）
１２        排紙口（排出口）
１３        給紙部
１４        本体部
１５        排紙部
１６        制御部
１７        記録部
１８        インクジェットヘッド（記録ヘッド）
１９，２０  区画板（第１側壁）
２１，２２  区画板（底壁）
２６        左側板（第２側壁）
２７        右側板（第２側壁）
３２        給紙ローラ（駆動ローラ）
３４        プラテン
３６        インクタンク
４０        記録紙
５０        経路変更板
５３        押し込み体（押し込み手段）
５４        紙倒れ防止機構（付勢手段）
５７        移動板（移動体）
１０１ 押し込み板（押し込み手段）